【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
入力デバイスと、
プロセッサに結合され、前記入力デバイスの方位を検出する検出器と、
を備えているシステムであって、
前記入力デバイスが、前記方位に対応する複数のモード方位を有し、
前記複数のモード方位が、ジェスチャ制御システムの複数の入力モードに対応し、
前記検出器が、前記ジェスチャ制御システムに結合され、前記方位に応答して、前記複数の入力モードからの入力モードの選択を自動的に制御する、システム。
【請求項２】
請求項１記載のシステムにおいて、前記検出器が、前記入力デバイスの方位を解釈して、前記ジェスチャ制御システムの入力信号に変換し、また、前記複数のモード方位間で前記入力デバイスの方位遷移を解釈して、前記ジェスチャ制御システムの入力信号に変換する、システム。
【請求項３】
請求項１記載のシステムにおいて、前記方位の検出が、ある時点および空間における前記入力デバイスの瞬時的状態の絶対三空間位置を検出することを含む、システム。
【請求項４】
請求項１記載のシステムにおいて、前記検出器が、前記複数のモード方位間で、前記入力デバイスの方位遷移を追跡し、
前記方位遷移が、前記入力デバイスの軸を中心とする回転遷移を含む、システム。
【請求項５】
請求項１記載のシステムにおいて、前記検出器が、
瞬時的方位をリアル・タイムで追跡し、
前記入力デバイスの瞬時的位置をリアル・タイムで追跡し、
前記入力デバイスの生の追跡データを、６度の空間位置に変換する、
システム。
【請求項６】
請求項１記載のシステムであって、少なくとも１つの入力センサを備え、
この入力センサが前記入力デバイス上に位置付けられており、
前記検出器が、生の入力センサ位置データを、入力センサ状態および入力センサ遷移データの内の少なくとも１つに変換し、
前記入力センサの位置が、前記複数の入力モードを制御する、システム。
【請求項７】
前記入力デバイスが、ハンドヘルド入力デバイスである、請求項１記載のシステム。
【請求項８】
請求項１記載のシステムにおいて、前記検出器が、ある時点および空間における前記入力デバイスの瞬時的状態の絶対三空間位置を検出し、
前記複数の入力モードが、
前記ジェスチャ制御システムに結合されているコンポーネントのアプリケーション・エレメントの直接操作のために、前記瞬時的状態が用いられる、直接操作モードと、
前記ジェスチャ制御システムに結合されているコンポーネントの１組のアプリケーション・エレメントの直接操作のために、前記瞬時的状態が用いられる、メタ操作モードと、
前記ジェスチャ制御システムに結合されているコンポーネントのアプリケーション・エレメントの三次元操作のために、前記瞬時的状態が用いられる、三次元操作モードと、
の内の少なくとも１つを含む、システム。
【請求項９】
請求項８記載のシステムにおいて、前記ジェスチャ制御システムが、前記ジェスチャ制御システムに結合されている三空間物体を、３度の平行移動自由度および３度の回転自由度で制御する、システム。
【請求項１０】
請求項９記載のシステムであって、前記入力デバイスの前記複数の入力モードを、前記三空間物体の複数の物体の平行移動にマッピングすることによって、前記三空間物体の移動を制御することを含む、システム。
【請求項１１】
請求項１０記載のシステムにおいて、前記マッピングが、
前記複数の入力モードと前記複数の物体の平行移動との間における直接マッピングと、
前記複数の入力モードと前記複数の物体の平行移動との間における間接マッピングと、
前記複数の入力モードの位置的偏倚を、前記三空間物体の物体平行移動の位置的偏倚に相関付けることと、
前記入力デバイスの位置的偏倚を、前記三空間物体の前記物体平行移動の平行移動速度に相関付けることと、
の内の少なくとも１つを含む、システム。
【請求項１２】
請求項９記載のシステムにおいて、前記検出が、前記入力デバイスの外挿補間位置が仮想空間と交差するときを検出することを含み、前記仮想空間が、前記ジェスチャ制御システムに結合されているディスプレイ・デバイス上に図示される空間を含む、システム。
【請求項１３】
請求項１記載のシステムにおいて、前記検出器が、前記入力デバイスのイベントを検出し、前記イベントが、前記入力デバイスの三空間位置および三空間方位の内少なくとも１つに対応し、前記イベントが第１タイプのアプリケーションに対応する、システム。
【請求項１４】
請求項１３記載のシステムにおいて、前記プロセッサが、前記イベントを指定する入力デバイス・イベント・データと、前記イベントの状態情報とを備えているデータ・シーケンスを発生し、
前記入力デバイス・イベント・データおよび状態情報が、前記ジェスチャ制御システムの第１アプリケーションに対応するタイプを有するタイプ特定データである、システム。
【請求項１５】
請求項１４記載のシステムにおいて、前記プロセッサが、前記データ・シーケンスを含むようにデータ・カプセルを形成し、前記データ・カプセルが、前記データ・シーケンスのアプリケーション独立表現を含むデータ構造を有し、前記プロセッサが前記データ・カプセルをレポジトリに入れる、システム。
【請求項１６】
請求項１５記載のシステムにおいて、第２タイプのアプリケーションの下で実行する第２イベントが、前記レポジトリを検索して、前記データ・カプセルと前記第２イベントとの間の対応を特定し、
前記第２タイプのアプリケーションが、前記データ・カプセルのデータ・シーケンスの内容を用いて、前記第２イベントに対応する動作を実行する、システム。
【請求項１７】
請求項１記載のシステムにおいて、前記入力デバイスからは離れている少なくとも１つの電磁界発生器を備えており、
前記少なくとも１つの電磁界発生器が、前記複数のコイルに信号を誘発するＥＭＦを発生し、
前記追跡が電磁界（ＥＭＦ）追跡であり、
前記入力デバイスが、回路に結合されている前記検出器を含み、
前記検出器が複数のコイルを備え、
前記検出器が、前記複数のコイルに誘発される前記信号を用いて、前記入力デバイスの方位および位置の内の少なくとも１つを検出する、システム。
【請求項１８】
請求項１７記載のシステムにおいて、
前記入力デバイスが、前記プロセッサに結合されている送信機を備えており、
前記送信機がワイヤレス送信機であり、前記入力デバイスの方位および位置を、前記ジェスチャ制御システムに伝達し、
前記入力デバイスが、少なくとも１つの入力センサを備えており、
前記送信機が、前記少なくとも１つの入力センサの状態を、前記ジェスチャ制御システムに伝達する、システム。
【請求項１９】
請求項１記載のシステムにおいて、前記入力デバイスに接続されている少なくとも１つのタグを備えており、
前記追跡が光学的追跡であり、
前記追跡が、前記少なくとも１つのタグの位置を動的に検出することを含む、システム。
【請求項２０】
請求項１９記載のシステムにおいて、前記少なくも１つのタグが、１組の赤外線（ＩＲ）発光ダイオード（ＬＥＤ）と、１組の逆反射ドットとを備え、
前記入力デバイスが、回路に結合されているマイクロプロセッサを含み、
前記回路が前記１組のＩＲ  ＬＥＤに結合され、前記回路に結合されている少なくとも１つの入力センサを備えており、
前記少なくとも１つのセンサが、前記入力デバイス上に位置付けられ、
前記少なくとも１つの入力センサが、前記１組のＩＲ  ＬＥＤの状態を制御し、
各ＩＲ  ＬＥＤの状態が、前記複数の入力モードの内少なくとも１つの入力モードに対応する、システム。
【請求項２１】
請求項１９記載のシステムにおいて、
前記少なくとも１つのタグが、前記入力デバイスに接続されている少なくとも１つの追跡ドットを備え、
前記少なくとも１つの追跡ドットが、
少なくとも１つの赤外線（ＩＲ）発光ダイオード（ＬＥＤ）と、少なくとも１つの逆反射ドットと、
赤外線（ＩＲ）発光ダイオード（ＬＥＤ）および逆反射ドットの内少なくとも１つと、
１組のＩＲ  ＬＥＤと１組の逆反射ドットと
の内の１またはそれ以上を備えている、システム。
【請求項２２】
請求項１記載のシステムにおいて、前記入力デバイスが、複数の側面を備えており、前記複数の側面における各側面が、前記複数のモード方位の内１つのモード方位、および前記複数の入力モードにおける１つの入力モードの内の少なくとも１つに対応する、システム。
【請求項２３】
前記複数の側面における各側面が、入力センサを備えている、請求項２２記載のシステム。
【請求項２４】
請求項２３記載のシステムにおいて、各側面の各入力センサには、方位およびコンテキストの内の少なくとも１つに基づいて、機能が動的に割り当てられる、システム。
【請求項２５】
請求項２２記載のシステムにおいて、
前記複数の側面が、３つの側面を含み、前記入力デバイスが三角形の断面を有し、
前記複数の側面における各側面が、前記複数のモード方位における１つのモード方位に対応する、システム。
【請求項２６】
請求項２２記載のシステムにおいて、
前記複数の側面における各側面が、前記複数の入力モードにおける１つの入力モードに対応し、前記複数の側面における第１側面が第１入力モードに対応し、
前記複数の側面における第２側面が第２入力モードに対応し、前記第１側面の中心に対して１２０度よりも大きく前記入力デバイスを長手方向軸を中心に回転させることを含む方位遷移が、第１入力モードから前記第２モードへの変化を生じさせる、システム。